(57)【要約】【課題】天井などに設置されている感知器を着脱するのに用いる着脱器によって、感知器への取り付けや取り外しが可能な感知器用防塵カバーを実現する。【解決手段】感知器１から感知器用防塵カバー１００を取り外す場合、着脱器６の一対の爪部８でカップ部１０を挟持した状態で、着脱器６を感知器１から離す方向に移動させると、感知器１から感知器用防塵カバー１００を引き離すように取り外すことができる。また、感知器１に感知器用防塵カバー１００を取り付ける場合、カップ部１０の底面側に着脱器６の一対の突起部８ａを当接させて感知器用防塵カバー１００を着脱器６で下支えした状態で、感知器用防塵カバー１００を感知器１に近付けていき、カップ部１０を感知器１のヘッド部５に被せて、カップ部１０の凸部１１をヘッド部５の開口５ａに係合させれば、感知器１に感知器用防塵カバー１００を取り付けることができる。【選択図】図１
2019021009.tif 000002
【特許請求の範囲】
【請求項１】
所定の設置面に設置された感知器のヘッド部に形成されている凹凸形状に嵌合可能な突起部を有する少なくとも一対の爪部を有し、その突起部を前記凹凸形状に嵌合させて前記感知器を着脱するのに用いる着脱器によって、前記感知器への取り付けや取り外しが可能な感知器用防塵カバーであって、
当該感知器用防塵カバーは、前記ヘッド部を覆う有底筒状のカップ部を有しており、
前記カップ部の側面には、前記ヘッド部の凹凸形状に係合して、当該感知器用防塵カバーを前記感知器に係着させる凸部が設けられており、
前記カップ部は、少なくとも一対の爪部で挟持されるように構成されているとともに、
当該感知器用防塵カバーは、前記カップ部の底面側に前記着脱器の突起部が当接した状態で、前記着脱器に下支えされるように構成されていることを特徴とする感知器用防塵カバー。
【請求項２】
当該感知器用防塵カバーには、前記着脱器の突起部が前記ヘッド部の凹凸形状に相当する位置に届かないように、前記着脱器の移動を規制する移動規制部が設けられていることを特徴とする請求項１に記載の感知器用防塵カバー。
【請求項３】
前記カップ部の外周側に、有底環状の外環部が設けられており、
前記移動規制部は、前記カップ部と前記外環部の間に設けられていることを特徴とする請求項２に記載の感知器用防塵カバー。
【請求項４】
前記外環部には、当該感知器用防塵カバーの立体形状を保持するための補強構造部が設けられていることを特徴とする請求項３に記載の感知器用防塵カバー。
【発明の詳細な説明】
【技術分野】
【０００１】
本発明は、内装工事などの作業中に発生する粉塵から感知器を保護するための感知器用防塵カバーに係り、天井などに設置されている感知器を着脱するのに用いる着脱器によって、感知器への取り付けや取り外しが可能な感知器用防塵カバーに関する。
【背景技術】
【０００２】
従来、内装工事などの作業中に発生する粉塵が感知器内に侵入しないように、内装工事が完了するまで感知器を覆うように取り付けておく防塵カバーが知られている。
この防塵カバーは、感知器の側面に形成された複数の煙流入口を略密閉状に覆って埃や塵の侵入を防止する凹状部と、凹状部の内面に形成された複数の係合突起などを備えており、その係合突起が煙流入口に係合されて、感知器に取り付けられるようになっている。
そして、防塵カバーを感知器から取り外す際には、防塵カバーに形成されている切欠や溝に係合可能な係合部を備えた取り外し治具を用いている（例えば、特許文献１参照。）。具体的には、取り外し治具の係合部を所定の切欠や溝に嵌め込んだ状態で、その取り外し治具を回転させるようにして、防塵カバーを感知器から取り外すようにしている。
【０００３】
また、天井などに設置されている感知器を着脱するための着脱器が知られている（例えば、特許文献２参照。）。
この感知器用の着脱器は、感知器の煙流入口などの開口部に嵌合する複数の突起爪を備えており、その突起爪を感知器の開口部に嵌合させた状態で着脱器を一の方向に回転させることによって感知器本体をベース体から取り外すことができ、また、着脱器を他の方向に回転させることによって感知器本体をベース体に取り付けることができるようになっている。
【先行技術文献】
【特許文献】
【０００４】
【特許文献１】特開平６−３１４３８６号公報
【特許文献２】特開２００５−３５２８０１号公報
【発明の概要】
【発明が解決しようとする課題】
【０００５】
ところで、上述したように、天井などに設置されている感知器を着脱するための着脱器と、感知器から防塵カバーを取り外すための取り外し治具は、どちらも天井まで届く長尺な器具ではあるものの異なる器具であるので、作業者は作業の目的に応じた器具を選択して作業現場に持ち込むか、あるいは両方の器具とも作業現場に持ち込むことになる。
そして、いずれか一方の器具を作業現場に持ち込んだ場合に他方の器具が必要になってしまうと、その必要となった器具を取りに戻らなければならず、作業時間のロスに繋がるという問題があった。また、両方の器具を作業現場に持ち込んでもいずれか一方の器具しか使わないこともあり、長尺な器具を２つとも持ち運び続けることが煩わしくなることがある。
【０００６】
そこで、本発明者らは、２つの器具を使い分ける必要がない技術について鋭意検討を行った結果、感知器を着脱するための着脱器を用いて感知器への取り付けや取り外しが可能な感知器用防塵カバーに関する技術を見出した。
【０００７】
本発明の目的は、天井などに設置されている感知器を着脱するのに用いる着脱器によって、感知器への取り付けや取り外しが可能な感知器用防塵カバーを提供することである。
【課題を解決するための手段】
【０００８】
以上の課題を解決するため、請求項１に記載の発明は、
所定の設置面に設置された感知器のヘッド部に形成されている凹凸形状に嵌合可能な突起部を有する少なくとも一対の爪部を有し、その突起部を前記凹凸形状に嵌合させて前記感知器を着脱するのに用いる着脱器によって、前記感知器への取り付けや取り外しが可能な感知器用防塵カバーであって、
当該感知器用防塵カバーは、前記ヘッド部を覆う有底筒状のカップ部を有しており、
前記カップ部の側面には、前記ヘッド部の凹凸形状に係合して、当該感知器用防塵カバーを前記感知器に係着させる凸部が設けられており、
前記カップ部は、少なくとも一対の爪部で挟持されるように構成されているとともに、
当該感知器用防塵カバーは、前記カップ部の底面側に前記着脱器の突起部が当接した状態で、前記着脱器に下支えされるように構成されていることを特徴とする。
【０００９】
上記構成の感知器用防塵カバーであれば、天井などに設置されている感知器を着脱するのに用いる着脱器によって、感知器への取り付けや取り外しを行うことができる。
具体的には、感知器に取り付けられている感知器用防塵カバーを取り外す場合に、着脱器の一対の爪部でカップ部を挟持した状態で、着脱器を感知器から離す方向に移動させると、感知器から感知器用防塵カバーを引き離すように容易に取り外すことができる。
また、感知器に感知器用防塵カバーを取り付ける場合に、感知器用防塵カバーのカップ部の底面側に着脱器の一対の突起部を当接させ、その感知器用防塵カバーを着脱器で下支えした状態で、感知器用防塵カバー及び着脱器を感知器に近付けていき、感知器用防塵カバーのカップ部を感知器のヘッド部に被せて、カップ部の凸部をヘッド部の凹凸形状に係合させれば、感知器に感知器用防塵カバーを容易に取り付けることができる。
【００１０】
請求項２に記載の発明は、請求項１に記載の感知器用防塵カバーにおいて、
当該感知器用防塵カバーには、前記着脱器の突起部が前記ヘッド部の凹凸形状に相当する位置に届かないように、前記着脱器の移動を規制する移動規制部が設けられていることを特徴とする。
【００１１】
上記構成によれば、感知器用防塵カバーが感知器に取り付けられている状態では、着脱器の突起部がヘッド部の凹凸形状に嵌合しないようになっているので、一対の爪部でカップ部を好適に挟持でき、感知器から感知器用防塵カバーを取り外し易くなる。
【００１２】
請求項３に記載の発明は、請求項２に記載の感知器用防塵カバーにおいて、
前記カップ部の外周側に、有底環状の外環部が設けられており、
前記移動規制部は、前記カップ部と前記外環部の間に設けられていることを特徴とする。
【００１３】
上記構成によれば、外環部の立体形状に応じて感知器用防塵カバーの強度が増す。
また、移動規制部を好適な配置に設けることができる。
【００１４】
請求項４に記載の発明は、請求項３に記載の感知器用防塵カバーにおいて、
前記外環部には、当該感知器用防塵カバーの立体形状を保持するための補強構造部が設けられていることを特徴とする。
【００１５】
上記構成によれば、感知器用防塵カバーの強度が増し、変形し難くなる。
【発明の効果】
【００１６】
本発明によれば、天井などに設置されている感知器を着脱するのに用いる着脱器によって、感知器への取り付けや取り外しが可能な感知器用防塵カバーが得られる。
【図面の簡単な説明】
【００１７】
【図１】本実施形態の感知器用防塵カバーと、天井に設置された感知器と、感知器用の着脱器を示す斜視図である。
【図２】感知器（感知器本体）を着脱する着脱器を示す断面図である。
【図３】本実施形態の感知器用防塵カバーが感知器に取り付けられた状態を示す断面図である。
【図４】感知器に取り付けられている感知器用防塵カバーを着脱器によって取り外す態様を示す下面図（ａ）と、図４（ａ）のＡ−Ａ線における断面図（ｂ）である。
【図５】感知器に取り付けられている感知器用防塵カバーを着脱器によって取り外す態様を示す下面図（ａ）と、図５（ａ）のＢ−Ｂ線における断面図（ｂ）である。
【図６】感知器用防塵カバーを着脱器によって感知器から取り外した状態を示す断面図である。
【図７】感知器用防塵カバーを着脱器によって感知器に取り付ける状態を示す断面図である。
【発明を実施するための形態】
【００１８】
以下、図面を参照して、本発明に係る感知器用防塵カバーの実施形態について詳細に説明する。但し、以下に述べる実施形態には、本発明を実施するために技術的に好ましい種々の限定が付されているが、本発明の範囲を以下の実施形態及び図示例に限定するものではない。
【００１９】
自動火災報知システムが導入されている建物には、煙や熱や炎を感知する感知器が天井や側壁などに設置されている。
感知器用防塵カバー１００は、内装工事などの作業中に発生する粉塵から感知器１を保護するために、その感知器１を覆い隠すように取り付けて使用し、作業完了後に感知器１から取り外すものである。
本実施形態では、煙を感知するために所定の設置面である天井Ｃに設置された感知器１に取り付けて使用する感知器用防塵カバー１００について説明する。
【００２０】
図１、図２に示すように、感知器１は天井Ｃに設置されており、天井Ｃに固定されているベース体２と、ベース体２に着脱自在に設けられている感知器本体３とを備えて構成されている。
感知器本体３は、略円板状の基部４と、基部４の中央側から下方に突き出た略円柱状のヘッド部５とを有している。
ヘッド部５の側面には、感知器１の内部に煙を流入させるための開口５ａが形成されている。本実施形態では、ヘッド部５の側面に４つの開口５ａが周方向に等間隔で形成されている。
【００２１】
まずは、天井Ｃに設置されている感知器１を着脱するのに用いる感知器用の着脱器６について説明する。後述する感知器用防塵カバー１００は、この着脱器６によって感知器１への取り付けや取り外しが行われるようになっている。
着脱器６は、図１、図２に示すように、椀部７と、椀部７の一部を成す爪部８と、爪部８に設けられている突起部８ａと、椀部７の外面に固設されている連結部９を備えている。
【００２２】
椀部７は、感知器１（感知器本体３）のヘッド部５に覆い被せる部分であり、ヘッド部５に所定の寸法差で嵌合する形状を有している。
爪部８は、椀部７をヘッド部５に覆い被せた際に、ヘッド部５を挟んで対向する配置に一対設けられている。この爪部８は可撓性を有している。
また、一対の爪部８に設けられている一対の突起部８ａは、椀部７をヘッド部５に覆い被せた際に、ヘッド部５の凹凸形状である開口５ａに嵌合するようになっている。
連結部９には、長尺な操作支持棒（図示省略）が連結される。この連結部９に連結される操作指示棒は、天井Ｃに着脱器６が届く長さを有している。
【００２３】
そして、図２に示すように、椀部７をヘッド部５に覆い被せ、爪部８の突起部８ａを感知器１（感知器本体３）のヘッド部５の開口５ａに嵌合させた状態で着脱器６を一の方向に回転させることによって、ヘッド部５の開口枠５ｂに爪部８の突起部８ａが接して感知器本体３を回転させ、ベース体２から取り外すことができ、また、着脱器１を他の方向に回転させることによって感知器本体３をベース体２に取り付けることができるようになっている。
【００２４】
本実施形態の感知器用防塵カバー１００は、図１、図３に示すように、感知器本体３のヘッド部５を覆う有底筒状のカップ部１０と、感知器本体３の基部４を覆う有底環状の外環部２０と、カップ部１０と外環部２０を繋いでいる繋部３０とを有するカバー部材であり、感知器１の外形に対応した形状を有している。
この感知器用防塵カバー１００は、図３に示すように、断面視略ハット形を呈する樹脂材料の成形品であり、可撓性を有している。なお、感知器用防塵カバー１００が、例えば３ｇ〜５ｇの軽量になるように、その厚みは薄く成形されている。
【００２５】
なお、感知器用防塵カバー１００は、着色された半透明の樹脂材料（光透過性を有する樹脂材料）で形成されている。
感知器用防塵カバー１００が無色透明であると、感知器１に感知器用防塵カバー１００が取り付けられているか否かが一目でわかり難いことがある。
また、感知器用防塵カバー１００が光透過性を有していないと、感知器１に感知器用防塵カバー１００を取り付けた状態で感知器１の動作確認を行う際に、感知器１の発光部（図示省略）が発光したか否か確認できないので好ましくない。
そして、感知器１の発光部の発光が赤色であることから、本実施形態の感知器用防塵カバー１００は、淡黄色に着色された半透明の樹脂材料で形成した。
感知器用防塵カバー１００が半透明の淡黄色であると、感知器１の発光部（図示省略）が発光した際の赤色光を好適に視認することができる。
【００２６】
また、カップ部１０の側面には、感知器用防塵カバー１００の内面側に突出した凸部１１が設けられている。
カップ部１０の凸部１１は、ヘッド部５の開口５ａに係合して、感知器用防塵カバー１０を感知器１に係着させるために設けられている。本実施形態では、カップ部１０の側面に４つの凸部１１が周方向に等間隔で設けられている。
【００２７】
また、外環部２０には、感知器用防塵カバー１００の立体形状を保持するために形成された補強構造部２１が設けられている。本実施形態では、外環部２０の外側面に４つの補強構造部２１が周方向に等間隔で設けられている。
【００２８】
そして、この感知器用防塵カバー１００を感知器１に係着させ、ヘッド部５の開口５ａを覆うことによって、開口５ａから感知器１内に粉塵を侵入させないようにすることができる。
【００２９】
次に、本実施形態の感知器用防塵カバー１００を感知器１から取り外す手順について説明する。
【００３０】
感知器１に取り付けられている感知器用防塵カバー１００（図３参照）を取り外す場合、図４、図５に示すように、感知器１のヘッド部５を覆っている感知器用防塵カバー１００のカップ部１０に、着脱器６の椀部７を被せる。
このとき、図５に示すように、着脱器６の椀部７の縁が、感知器用防塵カバー１００の繋部３０に突き当るので、それ以上着脱器６が感知器１に近接しないように、その移動が規制される。具体的には、図４に示すように、着脱器６の爪部８の突起部８ａが、ヘッド部５の開口５ａに届かないように、着脱器６の移動が規制される。つまり、感知器用防塵カバー１００の繋部３０は、着脱器６の突起部８ａがヘッド部５の開口５ａに相当する位置に届かないように、着脱器６の移動を規制する移動規制部として機能する。
このように、感知器用防塵カバー１００が感知器１に取り付けられている状態では、着脱器６の爪部８の突起部８ａがヘッド部５の開口５ａに嵌合しないようになっている。
なお、着脱器６の爪部８の突起部８ａがヘッド部５の開口５ａに嵌合しないことで一対の爪部８が開かれるので、その一対の爪部８が閉じる作用でカップ部１０を挟持するようになっている。
【００３１】
そして、上述したように、感知器１のヘッド部５を覆っている感知器用防塵カバー１００のカップ部１０に、着脱器６の椀部７を被せた際、図４に示すように、着脱器６の一対の爪部８がカップ部１０を挟持したようになる。
【００３２】
こうして、着脱器６の一対の爪部８によってカップ部１０を挟持した状態で、着脱器６を感知器１から離す方向に移動させると、図６に示すように、感知器１から感知器用防塵カバー１００を取り外すことができる。
つまり、着脱器６の一対の爪部８がカップ部１０を挟持する保持力が、カップ部１０の凸部１１がヘッド部５の開口５ａに係合されている係着力よりも強いので、着脱器６によって感知器１から感知器用防塵カバー１００を取り外すことができる。
なお、着脱器６の一対の爪部８（突起部８ａ）とカップ部１０の外面との摩擦抵抗力よりも、カップ部１０の凸部１１と感知器１のヘッド部５との間の摩擦抵抗力が小さくなるように設計することで、着脱器６による感知器用防塵カバー１００の取り外しが容易になる。
また、感知器１から取り外した感知器用防塵カバー１００は一対の爪部８に挟まれて着脱器６に保持されているので、その取り外した感知器用防塵カバー１００の回収を速やかに行うことができる。
【００３３】
次に、本実施形態の感知器用防塵カバー１００を感知器１に取り付ける手順について説明する。
【００３４】
天井Ｃに設置されている感知器１に感知器用防塵カバー１００を取り付ける場合、図７に示すように、着脱器６の椀部７の縁に感知器用防塵カバー１００を載せるようにセットする。
具体的には、図７に示すように、感知器用防塵カバー１００のカップ部１０の底面側に着脱器６の一対の突起部８ａを当接させ、その感知器用防塵カバー１００を着脱器６で下支えするようにセットする。
特に、一対の突起部８ａが、着脱器６の椀部７の縁から僅かに下側に離れた位置に設けられていることで、感知器用防塵カバー１００のカップ部１０の底面側の一部が、着脱器６の椀部７の内側に納まるようになるので、着脱器６にセットした感知器用防塵カバー１００の姿勢が安定し易く、好適に下支えすることができる。
【００３５】
こうして、感知器用防塵カバー１００を着脱器６で下支えした状態（図７参照）で、感知器用防塵カバー１００及び着脱器６を感知器１に近付けていき、感知器用防塵カバー１００のカップ部１０を感知器１のヘッド部５に被せて、カップ部１０の凸部１１をヘッド部５の開口５ａに係合させれば、図３に示すように、感知器１に感知器用防塵カバー１００を取り付けることができる。
【００３６】
以上のように、本実施形態の感知器用防塵カバー１００は、天井Ｃなどに設置されている感知器１（感知器本体３）を着脱するのに用いる着脱器６によって、感知器１への取り付けや取り外しを行うことができるので、従来技術のような、防塵カバーを感知器から取り外すための取り外し治具は不要になる。
つまり、感知器用防塵カバー１００の取り付けや取り外しを行う作業者は、感知器用の着脱器６を作業現場に持ち込むようにすれば、所定の作業を行うことができる。
そのうえ、感知器１（感知器本体３）を着脱する作業が必要になった場合にも、着脱器６を携帯しているので、感知器１の着脱作業にも対応することができる。
【００３７】
なお、以上の実施の形態において、感知器用防塵カバー１００は天井Ｃに設置された感知器１を覆うカバーであるとしたが、本発明はこれに限定されるものではなく、側壁に設置された感知器１を覆うカバーであってもよい。
また、感知器用防塵カバー１００で保護する感知器１は、煙感知用であることに限らず、熱感知用の感知器であっても、炎感知用の感知器であってもよい。
【００３８】
また、以上の実施の形態において、感知器用防塵カバー１００の外縁形状を略矩形にしたが、本発明はこれに限定されるものではなく、外環部２０に倣うように感知器用防塵カバー１００の外縁形状を略円形にしてもよい。
【００３９】
また、感知器用防塵カバー１００のカップ部１０の外面に、着脱器６の一対の突起部８ａが係合する段差や隆起部などの凹凸を設けるようにしてもよい。こうすることで、着脱器６の一対の爪部８がカップ部１０を挟持し易くなって、着脱器６による感知器用防塵カバー１００の取り外しがより容易になる。
【００４０】
また、その他、具体的な細部構造等についても適宜に変更可能であることは勿論である。
【符号の説明】
【００４１】
１      感知器
２      ベース体
３      感知器本体
４      基部
５      ヘッド部
５ａ    開口（凹凸形状）
５ｂ    開口枠
６      着脱器
７      椀部
８      爪部
８ａ    突起部
９      連結部
１０    カップ部
１１    凸部
２０    外環部
２１    補強構造部
３０    繋部（移動規制部）
１００  感知器用防塵カバー
Ｃ      天井（設置面）
【図１】
2019021009.tif 000003
【図２】
2019021009.tif 000004
【図３】
2019021009.tif 000005
【図４】
2019021009.tif 000006
【図５】
2019021009.tif 000007
【図６】
2019021009.tif 000008
【図７】
2019021009.tif 000009